Podtech/llm-jp-corpus-v4-ja_patent huggingface dataset:
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
貸出ユニットと通信可能なスロットマシンであって、
リールと、
ストップボタンと、を備え、
前記貸出ユニットから送信される貸出点に関する情報を受信可能に構成され、
特定期間毎に現在の遊技媒体数を示す総得点に関する情報を前記貸出ユニットへ送信可能に構成され、
貸出点に関する情報を受信してから前記特定期間よりも短い期間が経過したタイミングであり、且つ、総得点に関する情報の送信タイミングとは異なるタイミングで、貸出点に関する情報の応答情報を前記貸出ユニットに送信可能に構成される
ことを特徴とするスロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００１
【補正方法】変更
【補正の内容】
【０００１】
スロットマシンに関する。
【手続補正４】
【補正対象書類名】明細書
【補正対象項目名】０００５
【補正方法】変更
【補正の内容】
【０００５】
本態様に係るスロットマシンは、
貸出ユニットと通信可能なスロットマシンであって、
リールと、
ストップボタンと、を備え、
前記貸出ユニットから送信される貸出点に関する情報を受信可能に構成され、
特定期間毎に現在の遊技媒体数を示す総得点に関する情報を前記貸出ユニットへ送信可能に構成され、
貸出点に関する情報を受信してから前記特定期間よりも短い期間が経過したタイミングであり、且つ、総得点に関する情報の送信タイミングとは異なるタイミングで、貸出点に関する情報の応答情報を前記貸出ユニットに送信可能に構成される
ことを特徴とするスロットマシンである。
＜付記＞
尚、本態様とは異なる別態様について以下に列記しておくが、これらには何ら限定されることなく実施することが可能である。
本別態様に係る遊技機は、
リールと、
ストップスイッチと、
スタートスイッチとを備えた遊技機において、
スタートスイッチの操作に基づいて、抽選結果を決定可能に構成されており、
遊技機の外部に対して所定の情報を出力可能に構成されており、
遊技機の外部に対して特定の情報を出力可能に構成されており、
通番の種類として、所定の情報に関する通番と特定の情報に関する通番とを少なくとも有しており、
所定の情報には、少なくとも所定の情報に関する通番が含められており、
特定の情報には、少なくとも特定の情報に関する通番が含められており、
所定の情報に関する通番を記憶するための第１記憶手段と、特定の情報に関する通番を記憶するための第２記憶手段を備え、第１記憶手段のアドレスと第２記憶手段のアドレスは連続しており、
電源がオフにされた後に電源がオンとなった場合には、第１記憶手段に「０」が記憶され、第２記憶手段に「０」が記憶される
ことを特徴とする遊技機である。
【手続補正５】
【補正対象書類名】明細書
【補正対象項目名】０００６
【補正方法】変更
【補正の内容】
【０００６】
本態様に係るスロットマシンによれば、スロットマシン外に適切な情報を送信可能であり、且つスロットマシン外に適切な情報を送信するための制御処理を構築することが可能である。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
遊技機本体と、
前記遊技機本体に開閉可能に取り付けられた前扉と、
前記前扉に取り付けられ前記遊技機本体と前記前扉の開閉を監視する扉開閉監視部と、
遊技の演出を実行するための演出機器を制御するための制御部と、
前記前扉に配置され前記制御部に接続されて画像を表示する画像表示部と、を備え、
前記扉開閉監視部は、
前記前扉の開閉を検知するための扉開閉検知手段と、
前記前扉の開閉履歴を記憶する扉開閉記憶手段と、
前記扉開閉検知手段の検知を特定期間中に無効とする検知無効手段と、を有し、
前記制御部は、
前記制御部への電力の供給が断たれた状態であっても記憶した情報を保持可能であり、且つ、情報の書換え可能な保持記憶手段を有し、
前記保持記憶手段は、
前記扉開閉記憶手段に記憶された開閉履歴を保存するための扉開閉履歴記憶手段と、
セキュリティモードを記憶するためのセキュリティ記憶手段と、を含んで構成され、
前記制御部は、
電源投入時に前記特定期間中の場合には、前記セキュリティ記憶手段に前記セキュリティモードを設定し、
電源投入時に、前記特定期間中ではなく、且つ、前記セキュリティ記憶手段に前記セキュリティモードがされている場合には、前記扉開閉履歴記憶手段に記憶された開閉履歴に応じた特定画像を前記画像表示部に表示させ、
前記前扉が規定回数以上開状態となっていないことを前記扉開閉履歴記憶手段に記憶された開閉履歴が表し、且つ、規定時間以上前に前記前扉が開状態となっていることを表す開閉履歴が前記扉開閉履歴記憶手段に記憶されていない場合には、正常時画像を前記特定画像として前記画像表示部に表示させ、
前記前扉が前記規定回数以上開状態となったこと、及び、前記規定時間以上前に前記前扉が開状態となったことを前記扉開閉履歴記憶手段に記憶された開閉履歴が表す場合には、異常時画像を前記特定画像として前記画像表示部に表示させる
ことを特徴とする遊技機。
【手続補正２】
【補正対象書類名】明細書
【補正対象項目名】０００７
【補正方法】変更
【補正の内容】
【０００７】
本発明に係る遊技機は、
遊技機本体（キャビネット２ａ）と、
前記遊技機本体に開閉可能に取り付けられた前扉（フロントドア２ｂ）と、
前記前扉に取り付けられ前記遊技機本体と前記前扉の開閉を監視する扉開閉監視部（２４ｈドア監視ユニット６３）と、
遊技の演出を実行するための演出機器を制御するための制御部（副制御回路１０１）と、
前記前扉に配置され前記制御部に接続されて画像を表示する画像表示部（液晶表示装置１１）と、を備え、
前記扉開閉監視部は、
前記前扉の開閉を検知するための扉開閉検知手段（ドア開閉監視スイッチ６７）と、
前記前扉の開閉履歴を記憶する扉開閉記憶手段（ＥＥＰＲＯＭ２０５）と、
前記扉開閉検知手段の検知を特定期間中に無効とする検知無効手段（制御ＬＳＩ２００）と、を有し、
前記制御部は、
前記制御部への電力の供給が断たれた状態であっても記憶した情報を保持可能であり、且つ、情報の書換え可能な保持記憶手段（サブＳＲＡＭ１０３ｂ）を有し、
前記保持記憶手段は、
前記扉開閉記憶手段に記憶された開閉履歴を保存するための扉開閉履歴記憶手段（サブＳＲＡＭ１０３ｂの開閉履歴情報格納領域）と、
セキュリティモードを記憶するためのセキュリティ記憶手段（サブＳＲＡＭ１０３ｂのセキュリティ格納領域）と、を含んで構成され、
前記制御部は、
電源投入時に前記特定期間中の場合には、前記セキュリティ記憶手段に前記セキュリティモードを設定し（セキュリティモード処理）、
電源投入時に、前記特定期間中ではなく、且つ、前記セキュリティ記憶手段に前記セキュリティモードがされている場合には、前記扉開閉履歴記憶手段に記憶された開閉履歴に応じた特定画像（初回起動画面）を前記画像表示部に表示させ、
前記前扉が規定回数（例えば、２回）以上開状態となっていないことを前記扉開閉履歴記憶手段に記憶された開閉履歴が表し、且つ、規定時間（例えば、２４時間）以上前に前記前扉が開状態となっていることを表す開閉履歴が前記扉開閉履歴記憶手段に記憶されていない場合（正常）には、正常時画像を前記特定画像として前記画像表示部に表示させ、
前記前扉が前記規定回数以上開状態となったこと、及び、前記規定時間以上前に前記前扉が開状態となったことを前記扉開閉履歴記憶手段に記憶された開閉履歴が表す場合（異常）には、異常時画像を前記特定画像として前記画像表示部に表示させる
構成を有している。
【手続補正３】
【補正対象書類名】明細書
【補正対象項目名】０００８
【補正方法】変更
【補正の内容】
【０００８】
この構成により、本発明に係る遊技機は、電源投入時に、特定期間中ではなく、且つ、特定期間中に電源が投入されたことにより設定されるセキュリティモードが設定されている場合には、扉開閉履歴記憶手段に記憶された開閉履歴に応じた特定画像を画像表示部に表示させるため、製造時から遊技場に設置されるまで間の不正な扉の開閉を容易に確認させることができる。
【手続補正４】
【補正対象書類名】明細書
【補正対象項目名】０００９
【補正方法】変更
【補正の内容】
【０００９】
また、本発明に係る遊技機は、前扉が規定回数以上開状態となっていないこと、及び、規定時間以上前に前扉が開状態となっていないことを扉開閉履歴記憶手段に記憶された開閉履歴が表す場合には、不正な扉の開閉があった疑いがないことを表す画像として正常時画像を特定画像として画像表示部に表示させることによって、製造時から遊技場に設置されるまでの搬送中の不正な扉の開閉を容易に確認させることができる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、本発明に係る遊技機は、前扉が規定回数以上開状態となったこと、及び、規定時間以上前に前扉が開状態となったことを扉開閉履歴記憶手段に記憶された開閉履歴が表す場合には、不正な扉の開閉があった疑いが高いことを表す画像として異常時画像を特定画像として画像表示部に表示させることによって、製造時から遊技場に設置されるまでの間に扉の開閉があった疑いが高いことを容易に確認させることができる。
【手続補正書】
【提出日】令和2年12月25日(2020.12.25)
【手続補正１】
【補正対象書類名】明細書
【補正対象項目名】００３４
【補正方法】変更
【補正の内容】
【００３４】
油圧パイロット式の操作装置３５と左走行用方向切換弁３６との間の油路には操作装置３５に内蔵された複数のパイロット弁により生成されるパイロット圧（操作信号）を検出する圧力センサ２６Ａ，２６Ｂが設けられている。同様に操作装置３７とブーム用方向切換弁３８との間の油路にも操作装置３７に内蔵された複数のパイロット弁により生成されるパイロット圧（操作信号）を検出する圧力センサ２６Ｃ，２６Ｄが設けられている。圧力センサ２６Ａ，２６Ｂ及び圧力センサ２６Ｃ，２６Ｄの検出信号はコントローラ５３に入力される（後述の図４参照）。
【手続補正２】
【補正対象書類名】明細書
【補正対象項目名】００４５
【補正方法】変更
【補正の内容】
【００４５】
コントローラ５３には、前述したように、圧力センサ２５、圧力センサ２６Ａ，２６Ｂ及び圧力センサ２６Ｃ，２６Ｄからの信号が入力され、かつキースイッチ２７、ダイヤル２８、充電スイッチ２９、及びロックスイッチ４７からの信号が入力される。
【手続補正３】
【補正対象書類名】明細書
【補正対象項目名】０１０１
【補正方法】変更
【補正の内容】
【０１０１】
モータ回転数算出部７５は、以下に示す式（２）により、要求回転数Ndrを演算する。
【手続補正４】
【補正対象書類名】明細書
【補正対象項目名】０１２３
【補正方法】変更
【補正の内容】
【０１２３】
したがって、同じ商用電源の受電設備８０からの供給電力で稼働する電動式油圧ショベルの要求パワーの合計が、商用電源の受電設備８０の許容電力を考慮した許容パワーPSlimを超えない場合は、許容パワーPlimの制限を受けず、要求パワーに応じた要求回転数で稼働する。
＜電動式建設機械の要求電力の合計が許容電力を超える場合＞
電動式油圧ショベルＡ内の、許容パワー算出部７２において、電動式油圧ショベルＡの要求パワーPd1と、電動式油圧ショベルＢの要求パワーPd2と電動式油圧ショベルＣの要求パワーPd3の和であるPd1+Pd2+Pd3が、電源許容パワーPSlim を上回る場合は、Plim＜Pd1となる。したがって最小値選択部７３の出力である目標要求パワーPrはPlim(A)となる。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
蒸発器によって蒸発させられた冷媒によって回転されるタービンを通過した前記冷媒を冷却水との熱交換によって凝縮させる凝縮器を有する冷媒回路と、
前記凝縮器を通過した前記冷却水が流通する冷却水配管と、
該冷却水配管に設けられ、該冷却水配管を流通する前記冷却水に含まれる前記冷媒を検知する漏洩検知器と、
を備え、
前記漏洩検知器は、前記冷却水配管に対して鉛直方向上方に設けられたガス抜き弁と、該ガス抜き弁から排出された前記冷媒を検知する冷媒検知器と、前記ガス抜き弁に接続されるとともに前記ガス抜き弁から排出された気体が流通する排出配管と、を有し、
該排出配管の排出口は鉛直方向下方に向かって開口され、前記排出口の鉛直方向下方に前記冷媒検知器が設けられている排熱回収装置。
【請求項２】
前記漏洩検知器から前記冷媒の漏洩状態を取得可能な制御部を備え、
前記漏洩検知器によって前記冷媒の漏洩を検知したとき、前記制御部によって運転が停止される請求項１に記載の排熱回収装置。
【請求項３】
蒸発器によって蒸発させられた冷媒によって回転されるタービンを通過した前記冷媒を冷却水との熱交換によって凝縮させる凝縮器を有する冷媒回路と、
前記凝縮器を通過した前記冷却水が流通する冷却水配管と、
該冷却水配管に設けられ、該冷却水配管を流通する前記冷却水に含まれる前記冷媒を検知する漏洩検知器と、
を備え、
前記漏洩検知器は、前記冷却水配管に対して鉛直方向上方に設けられたガス抜き弁と、該ガス抜き弁から排出された前記冷媒を検知する冷媒検知器と、前記ガス抜き弁に接続されるとともに前記ガス抜き弁から排出された気体が流通する排出配管と、を有し、
該排出配管の排出口は鉛直方向下方に向かって開口され、前記排出口の鉛直方向下方に前記冷媒検知器が設けられている排熱回収装置の制御方法であって、
前記冷却水配管を流通する前記冷却水に含まれる前記冷媒を検知する漏洩検知工程と、
前記漏洩検知工程によって前記冷媒を検知したとき前記排熱回収装置を停止する停止工程と、
を含む排熱回収装置の制御方法。
【手続補正書】
【提出日】令和2年12月28日(2020.12.28)
【手続補正１】
【補正対象書類名】明細書
【補正対象項目名】００４７
【補正方法】変更
【補正の内容】
【００４７】
図４ａ及び図４ｂによりよく示されるフランジ９は、畝状部１１に形成されている。より具体的には、回収ボックスにより画定された容積から離間する方向に向く畝状部１１の対向頂部に形成されている。特に、複数の開口７は、回収ボックスにより画定された容積から離間する方向に向く畝状部１１の頂部においてヘッダ５を穿孔する又は打抜くことにより形成されており、フランジ９はこれらの開口７の周囲の材料により作製されている。
【手続補正２】
【補正対象書類名】特許請求の範囲
【補正対象項目名】全文
【補正方法】変更
【補正の内容】
【特許請求の範囲】
【請求項１】
平板形状を有する２つの側壁部（８’）と、少なくとも部分的に丸みを帯びた形状を有し前記２つの側壁部（８’）を連結する端部壁部（８）と、を含むヘッダ（５）を備えた熱交換器用回収ボックス（１）であって、
前記端部壁部（８）は、
熱交換器の複数の熱交換チューブ（３）を通過させるための複数の開口（７）と、
前記開口（７）を取り囲む複数のフランジ（９）と、
を備え、
前記端部壁部（８）は、前記回収ボックス（１）により画定された容積の外側に向かって実質的に窪んだ形状を有し、
前記端部壁部（８）は、複数の畝状部（１１）を更に備え、
前記フランジ（９）は、前記端部壁部（８）の前記畝状部（１１）に作製されているとともに、前記回収ボックス（１）により画定された容積から離間する方向に向けられた実質的に拡がった形状をそれぞれ有している、回収ボックス。
【請求項２】
前記畝状部（１１）は、前記回収ボックス（１）により画定された容積の内側に向く複数の頂部と、前記回収ボックス（１）により画定された容積から離間する方向に配向された複数の対向頂部と、を有し、
前記フランジ（９）は、前記対向頂部に形成されている、請求項１に記載の回収ボックス。
【請求項３】
前記畝状部（１１）は、前記チューブ（３）のピッチの３０％程度の高さ（ｈ）をそれぞれ有している、請求項１又は２に記載の回収ボックス。
【請求項４】
前記フランジ（９）は、
−前記フランジ（９）の最短幅に相当する第１の幅（ｌ１）と、
−前記第１の幅（ｌ１）より大きい、例えば前記第１の幅（ｌ１）の２倍程度の、前記フランジ（９）の最大幅に相当する第２の幅（ｌ２）と、をそれぞれ有している、請求項１乃至３のいずれか一項に記載の回収ボックス。
【請求項５】
前記第１の幅（ｌ１）は、前記開口（７）に挿入されるように意図されたチューブ（３）の幅と実質的に等しい、請求項４に記載の回収ボックス。
【請求項６】
前記フランジ（９）は、２つの凸状の実質的に拡がった縁部（９ａ、９ｂ）をそれぞれ有し、前記凸形状は前記回収ボックス（１）により画定された容積の外側に向いている、請求項１乃至５にいずれか一項に記載の回収ボックス。
【請求項７】
前記フランジ（９）は、畝状部（１１）の前記高さ（ｈ）の半分程度の高さ（ｈ’）を有している、請求項１乃至６のいずれか一項に記載の回収ボックス。
【請求項８】
前記フランジ（９）は、前記端部壁部（８）の前記畝状部（１１）に対して薄肉化されている、請求項１乃至７のいずれか一項に記載の回収ボックス。
【請求項９】
フランジ（９）における材料の薄肉化は、材料の当初厚さの少なくとも３０％を超えている、請求項８に記載の回収ボックス。
【請求項１０】
熱交換コアチューブ（３）束を備えた、特に自動車用の、熱交換器であって、
前記チューブ（３）の端部が少なくとも１つの回収ボックス（１）に固定され、
前記回収ボックス（１）は、請求項１乃至９のいずれか一項に記載のものである、熱交換器。
【請求項１１】
前記熱交換チューブ（３）は、０．８ｍｍ乃至２．５ｍｍの間に含まれる高さを有している、請求項１０に記載の熱交換器。
【請求項１２】
前記熱交換チューブ（３）のピッチは、５ｍｍ乃至１０ｍｍの間に含まれる、請求項１０又は１１に記載の熱交換器。
【手続補正３】
【補正対象書類名】図面
【補正対象項目名】図５
【補正方法】変更
【補正の内容】
【図５】
2020128865.tif 000001
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
自動分析装置であって、
検体の成分を測定する分析部と  
前記分析部に対して分析予約、メンテナンス予約を入力するための入力部と、
前記入力部から入力される前記分析予約、前記メンテナンス予約を記憶する記憶部と、
前記分析部が前記分析予約、前記メンテナンス予約を実行するよう制御する制御部と、を備え、
前記制御部は、前記分析予約、前記メンテナンス予約の予約時刻を比較し、前記予約時刻が重複する予約を抽出する、
ことを特徴とする自動分析装置。  
【請求項２】
請求項１記載の自動分析装置であって、
前記制御部が前記重複する予約を抽出したとき、前記重複する予約を変更するための操作画面を表示する表示部を更に備える、
ことを特徴とする自動分析装置。
【請求項３】
請求項１記載の自動分析装置であって、
前記制御部は、前記予約時刻が重複するメンテナンス予約を抽出する際、前記重複するメンテナンス予約が同時に実施できるメンテナンス項目の場合、前記重複する予約として抽出しない、
ことを特徴とする自動分析装置。
【請求項４】
請求項２記載の自動分析装置であって、
前記記憶部は、
前記メンテナンス予約のメンテナンス項目を記憶するメンテナンス項目情報テーブルを備え、
前記メンテナンス項目情報テーブルに、前記メンテナンス項目の重要度情報を含む、
ことを特徴とする自動分析装置。
【請求項５】
請求項４記載の自動分析装置であって、
前記制御部は、
前記予約時刻が重複する複数の前記メンテナンス予約の前記重要度情報を用いて、前記メンテナンス予約を変更する、
ことを特徴とする自動分析装置。
【請求項６】
請求項４記載の自動分析装置であって、
前記メンテナンス項目情報テーブルは、前記メンテナンス項目の標準間隔時間を含み、
前記制御部は、
前記標準間隔時間の間に、当該メンテナンス項目が複数予約された前記メンテナンス予約を抽出する、
ことを特徴とする自動分析装置。
【請求項７】
請求項６記載の自動分析装置であって、
前記制御部は、前記メンテナンス項目が複数予約された前記メンテナンス予約を抽出したとき、前記複数予約された前記メンテナンス予約を確認して変更する操作画面を前記表示部に表示する、
ことを特徴とする自動分析装置。
【請求項８】
請求項２に記載の自動分析装置であって、
前記制御部は、
新たな分析予約の予約時刻と、既に予約された前記メンテナンス予約の予約時刻が重複するものの有無を確認する、
ことを特徴とする自動分析装置。
【請求項９】
請求項８記載の自動分析装置であって、
前記制御部は、
前記予約時刻が重複するものを抽出したとき、前記新たな分析予約を変更することができる操作画面を前記表示部に表示する、
ことを特徴とする自動分析装置。
【請求項１０】
分析部で検体の成分を測定する自動分析装置の分析方法であって、
入力された分析予約、メンテナンス予約を記憶し、
前記分析部が前記分析予約、前記メンテナンス予約を実行するよう制御する際に、
前記分析予約、前記メンテナンス予約の予約時刻を比較し、前記予約時刻が重複する予約を抽出する、
ことを特徴とする分析方法。  
【請求項１１】
請求項１０記載の分析方法であって、
前記自動分析装置は、前記重複する予約を抽出したとき、前記重複する予約を変更するための操作画面を表示部に表示する、
ことを特徴とする分析方法。
【請求項１２】
請求項１１記載の分析方法であって、
前記予約時刻が重複するメンテナンス予約を抽出した際、前記重複するメンテナンス予約が同時に実施できるメンテナンス項目の場合、前記重複する予約としない、
ことを特徴とする分析方法。
【請求項１３】
請求項１１記載の分析方法であって、
前記自動分析装置は、
前記メンテナンス予約のメンテナンス項目の重要度情報を記憶し、
前記予約時刻が重複する複数の前記メンテナンス予約の前記重要度情報に従い、前記重複する予約を変更する、
ことを特徴とする分析方法。
【請求項１４】
請求項１２記載の分析方法であって、
前記自動分析装置は、
前記メンテナンス項目の標準間隔時間を記憶し、
前記標準間隔時間の間に、当該メンテナンス項目が複数予約された前記メンテナンス予約を抽出したとき、
前記複数予約された前記メンテナンス予約を確認して変更する操作画面を前記表示部に表示するよう制御する
ことを特徴とする分析方法。
【請求項１５】
請求項１２に記載の分析方法であって、
新たな分析予約の予約時刻と、既に予約された前記メンテナンス予約の予約時刻が重複するものの有無を確認し、
前記予約時刻が重複するものを抽出したとき、前記新たな分析予約を変更することができる操作画面を前記表示部に表示する、
ことを特徴とする分析方法。
【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
モリブデンを含有する酸化チタンフォトクロミック材料。
【請求項２】
チタンとモリブデンの総物質量に対するモリブデンの物質量の割合が０．１〜３．０％である請求項１記載の酸化チタンフォトクロミック材料。
【請求項３】
紫外線の照射により黒色に発色する請求項１又は２記載の酸化チタンフォトクロミック材料。
【請求項４】
請求項１〜３のいずれかに記載の酸化チタンフォトクロミック材料を含有するフォトクロミックゾル。
【請求項５】
請求項１〜３のいずれかに記載の酸化チタンフォトクロミック材料及び水溶性高分子化合物を含有するフォトクロミック複合体。
【請求項６】
請求項１〜３のいずれかに記載の酸化チタンフォトクロミック材料及び水溶性高分子化合物を含有する分散液を調製し、前記分散液を基板上に塗布して乾燥する、又は前記分散液を型枠に充填して乾燥することを特徴とするフォトクロミック複合体の製造方法。
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
イソフラボンと、長命草、ターミナリア、ココヤシ及びマキベリーから選ばれる少なくとも１種の成分とを含有することを特徴とする食品。
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
前方側に窓孔を有するヘルメットの外側シェルの内側に設けられ、前記外側シェルに回動可能に取り付けられた左右一対のホルダーに取り付けられ、少なくとも前記窓孔の一部を閉塞または開放できるバイザーを備えたヘルメットに適用され、
操作部及び係止部を有するロック部材が少なくとも１つの前記ホルダーの近くに配置され、前記操作部によって、前記係止部と前記ホルダーに設けられた被係止部とが、嵌合または離脱することによって、前記バイザーが固定または開放されることを特徴とするバイザーのロック機構。
【請求項２】
前記ロック部材は、回転軸に軸支される円板状に形成された軸支部と、前記軸支部から径方向外側へ向けて突出すると共に軸方向から見て前記軸支部の回転中心を中心とする扇状に形成された扇板部と、を備えており、
前記操作部が、前記扇板部の周方向一方側の端部から径方向外側へ向けて突出し、
前記係止部が、前記扇板部の周方向他方側の端部から周方向他方側へ向けて突出している請求項１記載のバイザーのロック機構。
【請求項３】
前記窓孔の前方側において該窓孔を開閉するシールド板の内側において、前記操作部が前記窓孔から突出している請求項１又は請求項２記載のバイザーのロック機構。
【請求項４】
前方側に窓孔を有する外側シェルと、
前記外側シェルの内側に設けられ、前記外側シェルに回動可能に取り付けられた左右一対のホルダーに取り付けられ、少なくとも前記窓孔の一部を閉塞または開放できるバイザーと、
前記外側シェルにおいて少なくとも左右の一方側に設けられた請求項１〜請求項３のいずれか１項に記載のバイザーのロック機構と、
を備えたヘルメット。
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
一貫した洗浄水量を提供するために洗浄弁のタイミングを最適化するシステムであって、当該システムは、
（ａ）通水エリアと、洗浄弁を開放するように構成されたソレノイドとを備える該洗浄弁と、
（ｂ）前記洗浄弁内の圧力を測定するように構成された少なくとも一つの圧力センサと、
（ｃ）前記少なくとも一つの圧力センサおよび前記ソレノイドと通信している少なくとも一つのコントローラと、を備え、
前記少なくとも一つのコントローラは、
（ｉ）洗浄要求に応答して洗浄時間の間前記洗浄弁を開放するように前記ソレノイドを制御し、
（ｉｉ）少なくとも一つの洗浄弁圧力を得るために前記洗浄弁内の圧力を測定し、
（ｉｉｉ）前記少なくとも一つの洗浄弁圧力と前記洗浄弁の使用回数とに少なくとも基づいて前記洗浄時間を調整して、調整された洗浄時間を得、かつ
（ｉｖ）次の洗浄要求に応答して前記調整された洗浄時間の間前記洗浄弁を開放することによって洗浄を行うように前記ソレノイドを制御し、
（ｖ）洗浄毎にカウンタをインクリメントし、ここで前記洗浄弁の前記使用回数は前記カウンタに基づく
ようにプログラムまたは構成されるシステム。
【請求項２】
前記少なくとも一つのコントローラは、前記洗浄弁の洗浄の前の少なくとも一つの静圧および前記洗浄弁の洗浄中の少なくとも一つの動圧を得ることによって、前記少なくとも一つの洗浄弁圧力を得るために前記洗浄弁内の前記圧力を測定する請求項１に記載のシステム。
【請求項３】
前記洗浄時間は、前記少なくとも一つの静圧、前記少なくとも一つの動圧、および前記洗浄弁の前記通水エリアに少なくとも部分的に基づいて前記調整された洗浄時間に調整される請求項２に記載のシステム。
【請求項４】
前記洗浄時間は、前記洗浄弁の使用回数に少なくとも部分的に基づいて前記調整された洗浄時間に調整される請求項３に記載のシステム。
【請求項５】
前記調整された洗浄時間は、前記洗浄弁の前記通水エリアが使用によって摩耗された後、一貫した洗浄を提供するために前記洗浄時間未満である請求項１に記載のシステム。
【請求項６】
前記少なくとも一つのコントローラは、
一回の洗浄当たりの水使用量を決定し、且つ
前記一回の洗浄当たりの水使用量に少なくとも部分的に基づいて前記調整された洗浄時間を決定する
ようにさらにプログラムまたは構成される請求項１に記載のシステム。
【請求項７】
前記一回の洗浄当たりの水使用量は、前記少なくとも一つの洗浄弁圧力と前記洗浄弁の使用回数に少なくとも部分的に基づく請求項６に記載のシステム。
【請求項８】
一貫した洗浄水量を提供するために洗浄弁のタイミングを最適化する洗浄弁コントローラであって、
当該洗浄弁コントローラは、
前記洗浄弁に配置された圧力センサから、前記洗浄弁内の少なくとも一つの洗浄弁圧力を受信させ、
前記洗浄弁を洗浄時間の間開放させるように当該洗浄弁内に配置されたソレノイドを制御させ、
前記少なくとも一つの洗浄弁圧と前記洗浄弁の使用回数とに少なくとも部分的に基づいて前記洗浄時間を調整して、調整された洗浄時間を得させ、
次の洗浄要求に応答して前記洗浄弁を前記調整された洗浄時間の間開放させて洗浄を行うように前記洗浄弁内に配置された前記ソレノイドを制御させ、且つ
洗浄毎にカウンタをインクリメントする、ここで前記洗浄弁の前記使用回数は前記カウンタに基づく、
ことを実施する、内部に記憶されたまたは通信によるプログラム命令を実行するように構成される洗浄弁コントローラ。
【請求項９】
前記洗浄弁コントローラは、
一回の洗浄当たりの水使用量を決定し、かつ
前記一回の洗浄当たりの水使用量に少なくとも部分的に基づいて前記調整された洗浄時間を決定する
ようにさらにプログラムまたは構成される請求項８に記載の洗浄弁コントローラ。
【請求項１０】
前記一回の洗浄当たりの水使用量は、前記少なくとも一つの洗浄弁圧力および前記洗浄弁の使用回数に少なくとも部分的に基づいて決定される請求項９に記載の洗浄弁コントローラ。
【請求項１１】
前記圧力センサから受信された前記洗浄弁内の前記少なくとも一つの洗浄弁圧力は、前記洗浄弁の洗浄前の少なくとも一つの静圧および前記洗浄弁の前記洗浄中の少なくとも一つの動圧を含む請求項９に記載の洗浄弁コントローラ。
【請求項１２】
前記洗浄時間は、前記少なくとも一つの静圧、前記少なくとも一つの動圧、および前記洗浄弁の通水エリアに少なくとも部分的に基づいて前記調整された洗浄時間に調整される請求項１１に記載の洗浄弁コントローラ。
【請求項１３】
前記洗浄時間は、前記洗浄弁の使用回数に少なくとも部分的に基づいて前記調整された洗浄時間に調整される請求項１２に記載の洗浄弁コントローラ。
【請求項１４】
前記洗浄弁コントローラは、前記洗浄弁に配置された少なくとも一つのコントローラまたは複数の洗浄弁と通信している少なくとも一つの中央コントローラを備え、
当該洗浄弁コントローラは、少なくとも一つのデータ記憶デバイスに前記少なくとも一つの洗浄弁圧力を記憶するようにさらにプログラムまたは構成される請求項９に記載の洗浄弁コントローラ。
【請求項１５】
一貫した洗浄量を提供するために洗浄弁のタイミングを最適化する方法であって、
前記洗浄弁が、通水エリアと、当該通水エリアを通して洗浄を提供するために前記洗浄弁を開放するように構成されたソレノイドと、前記洗浄弁に配置された少なくとも一つの圧力センサとを備え、
前記少なくとも一つの圧力センサから受信したデータから、前記洗浄弁内の少なくとも一つの洗浄弁圧力を測定するステップと、
前記洗浄弁を洗浄時間の間開放させるように前記ソレノイドを制御するステップと、
前記少なくとも一つの洗浄弁圧力に少なくとも基づいて第一の洗浄時間を調整して、調整された洗浄時間を得るステップと、
次の洗浄要求に応答して前記洗浄弁を前記調整された洗浄時間の間開放させて洗浄を行うように前記ソレノイドを制御するステップと
洗浄毎にカウンタをインクリメントするステップであって、ここで前記洗浄弁の前記使用回数は前記カウンタに基づくステップと、
を含む方法。
【請求項１６】
前記少なくとも一つの洗浄弁圧力を測定するステップは、前記洗浄弁の洗浄前の少なくとも一つの静圧および前記洗浄弁の洗浄中の少なくとも一つの動圧を前記少なくとも一つの圧力センサから得るステップを含む請求項１５に記載の方法。
【請求項１７】
前記洗浄時間は、前記少なくとも一つの静圧、前記少なくとも一つの動圧、および前記洗浄弁の前記通水エリアに少なくとも部分的に基づいて前記調整された洗浄時間に調整される請求項１６に記載の方法。
【請求項１８】
前記洗浄時間は、前記洗浄弁の使用回数に少なくとも部分的に基づいて前記調整された洗浄時間に調整される請求項１７に記載の方法。
【請求項１９】
前記少なくとも一つの洗浄弁の一回の使用当たりの水量を決定するステップと、
前記一回の使用当たりの水量に少なくとも部分的に基づいて前記調整された洗浄時間を決定するステップと
をさらに備える請求項１５に記載の方法。
【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
印字ヘッドでインクリボンと包装用連続シートとを互いに接触させて上記包装用連続シートに印字を行うとともに、上記包装用連続シートを用いて薬剤を１包分ずつ包装する薬剤包装装置において、
インクリボンロールの供給芯に設けられた記録媒体から情報を読み取るとともに上記記録媒体に情報を書き込むアンテナ付きのリーダライタと、
上記インクリボンロールにおけるインクリボンを巻き取り方向に走行させる速度をＶ1、上記包装用連続シートの送り速度をＶ2とすると、Ｖ1＞Ｖ2となるように、巻取り芯を支持する巻取り側支持軸を回転させる巻取りモーターを、上記記録媒体から読み取った情報であるインクリボンの使用量または残存量に基づいて制御する回転速度制御部と、
上記巻取りモーターの駆動力を上記巻取り側支持軸に伝達する駆動力伝達経路に設けられ、上記インクリボンと上記包装用連続シートとが互いに接触する印字時に、上記インクリボンを上記速度Ｖ2と同じ速度で走行させるためのトルク伝達制御部と、
上記インクリボンの使用により変化した上記インクリボンの使用量または残存量を示す情報を上記記録媒体に書き込む情報として上記リーダライタに出力する情報出力部と、
上記インクリボンロールに捲回された上記インクリボンの後端に形成されている光反射領域を検知するインクリボン終了検知部と、を備えており、
上記アンテナと上記記録媒体との間に上記光反射領域が介在する状態で電波の送受信が行われ、上記光反射領域は樹脂製であり、
上記包装用連続シートとして２枚折りされた２枚折り包装用連続シートのロールを用い、上記ロールから取り出した上記２枚折り包装用連続シートを一対のヒータローラによって搬送しながら上記２枚折り包装用連続シートに印字を行い、１包分の印字が終了する毎に、上記２枚折り包装用連続シートに対する上記印字ヘッドの押圧を解除することを特徴とする薬剤包装装置。
【請求項２】
印字ヘッドでインクリボンと包装用連続シートとを互いに接触させて上記包装用連続シートに印字を行うとともに、上記包装用連続シートを用いて薬剤を１包分ずつ包装する薬剤包装装置において、
内側筒が外側筒に挿入され上記内側筒と外側筒との間に隙間が形成される構造の供給芯にインクリボンが捲回されており、上記隙間に記録媒体が設けられているインクリボンロールと、
上記インクリボンロールの上記供給芯に設けられた上記記録媒体から情報を読み取るとともに上記記録媒体に情報を書き込むアンテナ付きのリーダライタと、
上記インクリボンロールにおけるインクリボンを巻き取り方向に走行させる速度をＶ1、上記包装用連続シートの送り速度をＶ2とすると、Ｖ1＞Ｖ2となるように、上記インクリボンロールの巻取り芯を支持する巻取り側支持軸を回転させる巻取りモーターを、上記記録媒体から読み取った情報であるインクリボンの使用量または残存量に基づいて制御する回転速度制御部と、
上記巻取りモーターの駆動力を上記巻取り側支持軸に伝達する駆動力伝達経路に設けられ、上記インクリボンと上記包装用連続シートとが互いに接触する印字時に、上記インクリボンを上記速度Ｖ2と同じ速度で走行させるためのトルク伝達制御部と、
上記インクリボンの使用により変化した上記インクリボンの使用量または残存量を示す情報を上記記録媒体に書き込む情報として上記リーダライタに出力する情報出力部と、
上記インクリボンロールに捲回された上記インクリボンの後端に形成されている光反射領域を検知するインクリボン終了検知部と、を備えており、
上記アンテナと上記記録媒体との間に上記光反射領域が介在する状態で電波の送受信が行われ、上記光反射領域は樹脂製であり、
上記包装用連続シートとして２枚折りされた２枚折り包装用連続シートのロールを用い、上記ロールから取り出した上記２枚折り包装用連続シートを一対のヒータローラによって搬送しながら上記２枚折り包装用連続シートに印字を行い、１包分の印字が終了する毎に、上記２枚折り包装用連続シートに対する上記印字ヘッドの押圧を解除することを特徴とする薬剤包装装置。
【請求項３】
印字ヘッドでインクリボンと包装用連続シートとを互いに接触させて上記包装用連続シートに印字を行うとともに、上記包装用連続シートを用いて薬剤を１包分ずつ包装する薬剤包装装置において、
内側筒が外側筒に挿入され上記内側筒と外側筒との間に隙間が形成される構造の供給芯にインクリボンが捲回されており、上記隙間に記録媒体が設けられているインクリボンロールと、
上記インクリボンロールが着脱自在に装着されるインクリボンカセットと、
上記インクリボンカセットの外側の位置から上記インクリボンロールの上記供給芯に設けられた上記記録媒体から情報を読み取るとともに上記記録媒体に情報を書き込むアンテナ付きのリーダライタと、
上記インクリボンロールにおけるインクリボンを巻き取り方向に走行させる速度をＶ1、上記包装用連続シートの送り速度をＶ2とすると、Ｖ1＞Ｖ2となるように、上記インクリボンロールの巻取り芯を支持する巻取り側支持軸を回転させる巻取りモーターを、上記記録媒体から読み取った情報であるインクリボンの使用量または残存量に基づいて制御する回転速度制御部と、
上記巻取りモーターの駆動力を上記巻取り側支持軸に伝達する駆動力伝達経路に設けられ、上記インクリボンと上記包装用連続シートとが互いに接触する印字時に、上記インクリボンを上記速度Ｖ2と同じ速度で走行させるためのトルク伝達制御部と、
上記インクリボンの使用により変化した上記インクリボンの使用量または残存量を示す情報を上記記録媒体に書き込む情報として上記リーダライタに出力する情報出力部と、
上記インクリボンロールに捲回された上記インクリボンの後端に形成されている光反射領域を検知するインクリボン終了検知部と、を備えており、
上記アンテナと上記記録媒体との間に上記光反射領域が介在する状態で電波の送受信が行われ、上記光反射領域は樹脂製であり、
上記包装用連続シートとして２枚折りされた２枚折り包装用連続シートのロールを用い、上記ロールから取り出した上記２枚折り包装用連続シートを一対のヒータローラによって搬送しながら上記２枚折り包装用連続シートに印字を行い、１包分の印字が終了する毎に、上記２枚折り包装用連続シートに対する上記印字ヘッドの押圧を解除することを特徴とする薬剤包装装置。
【請求項４】
請求項１〜請求項３のいずれか１項に記載の薬剤包装装置において、上記リーダライタの上記アンテナとして板状の２枚のアンテナが接続されており、上記２枚のアンテナは、その電波送受信面が上記供給芯の周面に対面し且つ上記電波送受信面の向きが交差するように配置されていることを特徴とする薬剤包装装置。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
第一の熱可塑性樹脂を含む熱可塑性樹脂組成物を溶融してストランド状に成形する熱可塑性樹脂組成物の成形機であって、
前記熱可塑性樹脂組成物を供給する供給口と、
前記供給口から供給された前記熱可塑性樹脂組成物を溶融混練する溶融混練部と、
前記溶融混練部で溶融混錬された前記熱可塑性樹脂組成物が滞留する樹脂溜り部と、
前記樹脂溜り部で滞留した前記熱可塑性樹脂組成物をストランド状に吐出する吐出部とを有し、
前記樹脂溜り部が、前記溶融混練部から前記吐出部に向けて先細り形状を有し、
前記樹脂溜り部の前記先細り形状が、
前記樹脂溜り部と前記溶融混練部との第一の接続部の樹脂の流路の断面積Ａ１に対して、前記樹脂溜り部と前記吐出部との第二の接続部の樹脂の流路の断面積Ａ２の比（Ａ２／Ａ１）が、１％〜３０％であり、
前記第一の接続部から前記第二の接続部までの長さＬ１において、前記断面積Ａ１を基準として、前記樹脂溜り部の樹脂の流路の断面積は０．１〜１．０％／ｍｍの範囲で減少する形状である熱可塑性樹脂組成物の成形機。
【請求項２】
前記断面積Ａ１の位置と、前記断面積Ａ２の位置との中間の長さの位置における断面積（Ａ３）について、前記断面積Ａ３／前記断面積Ａ１の比が、４０〜８０％である請求項１記載の成形機。
【請求項３】
第一の熱可塑性樹脂を含む熱可塑性樹脂組成物を溶融してペレット状に成形するペレット化工程であり、
前記熱可塑性樹脂組成物をペレット成形機の供給口に供給し、
前記供給口から供給された前記熱可塑性樹脂組成物を溶融混練部で溶融させながら押し出し、
前記溶融混練部で溶融された前記熱可塑性樹脂組成物を、前記熱可塑性樹脂組成物の押し出し方向に向かって先細り形状を有し、前記先細り形状が、前記樹脂溜り部と前記溶融混練部との第一の接続部の樹脂の流路の断面積Ａ１に対して、前記樹脂溜り部と前記吐出部との第二の接続部の樹脂の流路の断面積Ａ２の比（Ａ２／Ａ１）が、１％〜３０％であり、
前記第一の接続部から前記第二の接続部までの長さＬ１において、前記断面積Ａ１を基準として、前記樹脂溜り部の樹脂の流路の断面積は０．１〜１．０％／ｍｍの範囲で減少する形状である、樹脂溜り部で滞留させ、
前記樹脂溜り部で滞留した前記熱可塑性樹脂組成物を吐出部からストランド状に吐出させ、
前記吐出部より吐出されたストランド状の前記熱可塑性樹脂組成物を細断することで樹脂ペレットを得るペレット化工程を有する熱可塑性樹脂組成物の成形品の製造方法。
【請求項４】
前記熱可塑性樹脂組成物が、第一の熱可塑性樹脂と、無機物及び／又は前記第一の熱可塑性樹脂とは異なる高分子成分を含む複合樹脂組成物である請求項３記載の製造方法。
【請求項５】
前記ペレット化工程でペレット化された前記樹脂ペレットを、射出成形機で成形する射出成形工程を有し、前記射出成形工程が、前記射出成形機によるバージン樹脂のペレットに対する標準射出成形速度よりも遅い射出成形速度で、前記樹脂ペレットを成形するものである請求項４記載の製造方法。
【請求項６】
前記ペレット化工程の温度が、前記バージン樹脂のペレットに対する標準射出成形温度＋１０℃以上であり、
前記ペレット化工程の前記樹脂溜り部における滞留時間が、３０秒〜６００秒であり、
前記射出成形工程における射出成形速度が、前記標準射出成形速度の３０％〜７０％であり、
前記射出成形工程の温度が、前記バージン樹脂のペレットに対する標準射出成形温度±２０℃以内である請求項５記載の製造方法。
【請求項７】
前記第一の熱可塑性樹脂が、ポリオレフィン系樹脂である請求項３〜６のいずれかに記載の製造方法。
【請求項８】
伸度が３００％以上である、リサイクル樹脂由来のポリオレフィン系樹脂を含有するリサイクル樹脂組成物の射出成形品。
【請求項９】
第一の熱可塑性樹脂と無機物及び／又は前記第一の熱可塑性樹脂とは異なる高分子成分を含む複合樹脂組成物を溶融してペレット状に成形するペレット化工程であり、
前記複合樹脂組成物をペレット成形機の供給口に供給し、
前記供給口から供給された前記複合樹脂組成物を溶融混練部で溶融させ、
前記溶融混練部で溶融された前記複合樹脂組成物を樹脂溜り部で滞留させ、
前記樹脂溜り部で滞留した前記複合樹脂組成物を吐出部からストランド状に吐出させ、
前記吐出部より吐出されたストランド状の前記複合樹脂組成物を細断することで樹脂ペレットを得るペレット化工程と、
前記ペレット化工程でペレット化された前記樹脂ペレットを、射出成形機で成形する射出成形工程であり、
前記射出成形機によるバージン樹脂のペレットに対する標準射出成形速度よりも遅い射出成形速度で、前記樹脂ペレットを成形する射出成形工程と、を有し、
前記ペレット化工程の温度が、前記バージン樹脂のペレットに対する標準射出成形温度＋１０℃以上であり、
前記ペレット化工程の前記樹脂溜り部における滞留時間が、３０秒〜６００秒であり、
前記射出成形工程における射出成形速度が、前記標準射出成形速度の３０％〜７０％であり、
前記射出成形工程の温度が、前記バージン樹脂のペレットに対する標準射出成形温度±２０℃以内である複合樹脂組成物の成形品の製造方法。
【手続補正書】
【提出日】令和3年11月8日(2021.11.8)
【手続補正１】
【補正対象書類名】明細書
【補正対象項目名】００３５
【補正方法】変更
【補正の内容】
【００３５】
冷媒吹き出し口（３７０）は、ハニカム成形体（１００）の第二底面（１０６）との距離を変更可能に構成してもよい。これにより、ハニカム成形体をバルーンチャック（２００）に対して挿抜する操作を行うときは、冷媒吹き出し口（３７０）を第二底面（１０６）から離すことで、当該操作の妨げにならないようにすると共に、冷媒供給時は、ハニカム成形体（１００）の第二底面（１０６）との距離を近づけることができる。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
軟Ｘ線分光計測に用いる表面に周期的な凹凸を持つ回折格子と、
前記回折格子の表面に順に積層された基本反射膜層と多層膜層とを有し、
前記基本反射膜層が、波長1nm〜20nm内の目的電磁波の浸透深さよりも厚い金（Ａｕ）、白金（Ｐｔ）、ロジウム（Ｒｈ）、タングステン(Ｗ)のいずれかから成り、
前記多層膜層が、炭素（Ｃ）、炭化ボロン（Ｂ４Ｃ）、コバルト（Ｃｏ）、ニッケル（Ｎｉ）のいずれか、もしくはそのいずれかを含む化合物から成る薄膜層Ａと、オスミウム（Ｏｓ)、イリジウム（Ｉｒ)、タングステン(Ｗ)のいずれか、もしくはそのいずれかを含む化合物から成る薄膜層Ｂとを１周期以上積層したものであることを特徴とする多層膜回折格子。
【請求項２】
請求項１記載の多層膜回折格子において、
前記回折格子の表面の凹凸が断面矩形状である多層膜回折格子。
【請求項３】
請求項１又は２に記載の多層膜回折格子において、
前記多層膜層の周期が半整数（例：１．５、２．５周期）であることを特徴とする多層膜回折格子。
【請求項４】
請求項１〜３のいずれかに記載の多層膜回折格子において、
前記多層膜層を構成する物質の膜厚が膜層ごとに異なることを特徴とする多層膜回折格子。
【手続補正２】
【補正対象書類名】明細書
【補正対象項目名】０００９
【補正方法】変更
【補正の内容】
【０００９】
本発明に係る回折格子では、溝が刻線された所定面上に、使用入射角において吸収のため透過光が存在しない厚さの金（Ａｕ）、白金(Ｐｔ)、ロジウム（Ｒｈ）、タングステン(Ｗ)の基本反射膜層があり、その上に多層膜層として消衰係数が小さく、屈折率が1より僅かに小さい炭素（Ｃ）、炭化ボロン（Ｂ４Ｃ）、コバルト（Ｃｏ）、ニッケル（Ｎｉ）のいずれか、もしくはそのいずれかを含む化合物の薄膜層Ａとオスミウム（Ｏｓ)、イリジウム（Ｉｒ)、タングステン(Ｗ)のいずれか、もしくはそのいずれかを含む化合物の薄膜層Ｂを周期的に付加し、軟Ｘ線回折格子の回折効率を向上させる。    
【手続補正３】
【補正対象書類名】明細書
【補正対象項目名】００１２
【補正方法】変更
【補正の内容】
【００１２】
発明者は矩形状の溝形状を持つラミナー型の軟Ｘ線回折格子の回折効率を一定の波長範囲で高めるには、従来の形態である基本反射膜表面にある種の物質を一定の厚さで積層させればよいことを見いだした（非特許文献１、２）。探索の結果鉄のL発光(Fe-La,b)の波長 1.7〜1.8 nm（700〜720 eV）を中心とした領域の回折効率を高めるには回折格子溝が刻線された表面上に、使用入射角において吸収のため透過光が存在しない厚さの金（Ａｕ）、白金(Ｐｔ)、ロジウム（Ｒｈ）、タングステン(Ｗ)の基本反射膜層があり、その上に多層膜層として消衰係数が小さく、屈折率が1より僅かに小さい炭素（Ｃ）、炭化ボロン（Ｂ４Ｃ）、コバルト（Ｃｏ）、ニッケル（Ｎｉ）のいずれか、もしくはそのいずれかを含む化合物の薄膜層Ａとオスミウム（Ｏｓ)、イリジウム（Ｉｒ)、タングステン(Ｗ)のいずれか、もしくはそのいずれかを含む化合物の薄膜層Ｂを１周期以上付加することにより軟Ｘ線回折格子の回折効率が向上することを見出した。  
【手続補正４】
【補正対象書類名】明細書
【補正対象項目名】００１３
【補正方法】変更
【補正の内容】
【００１３】
以下、本発明の実施形態の基本となる従来型の軟Ｘ線用ラミナー型回折格子（形態Ｏ）の構造を、図１を用いて詳細に説明する。直交座標系において、x軸を回折格子表面中心Oでの回折格子の垂線（法線）方向、y軸を中心Oでの回折格子面の接線方向、z軸を中心Oにおいて紙面に垂直な軸とする。この時、x軸方向から入射光の方向へ張る角度を入射角（α）とする。したがって、回折格子面から入射光の方向に張る角度θとの間にはθ＝９０°−αの関係がある。また、x軸方向から測定に用いる波長（λ）の回折次数（m）が+１次の回折光の方向を回折角（β）とする。角度αとβの双方について符号はx軸から反時計廻りを正とする。回折格子溝はラミナー型と一般に称される矩形波状であり、材質がＳｉＯ２等の基板１の表面に、溝周期である格子定数（σ）、溝の山部の長さ（a）、溝深さ（h）の格子溝が形成されている。因みに角度α、β及び波長λ、格子定数σの間には回折格子に式と称されるsinα+sinβ=λ/σの関係がある。
【手続補正５】
【補正対象書類名】図面
【補正対象項目名】図１
【補正方法】変更
【補正の内容】
【図１】
2020128950.tif 000001
【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
第１香箱真、第１ぜんまい、および第１香箱車を有する第１香箱と、
第２香箱真、第２ぜんまい、および第２香箱車を有し、前記第１香箱真および前記第２香箱真の軸方向から見た平面視で、前記第１香箱と重ならない位置に配置され、前記第１香箱の回転が伝達される第２香箱と、
前記第１香箱真と一体に回転する歯車の回転が伝達されると第１方向に回転し、前記第２香箱車の回転が伝達されると前記第１方向とは逆の第２方向に回転する表示真を有し、前記第１香箱および前記第２香箱と前記平面視で重ならない位置に配置された遊星歯車機構と、
前記第１香箱真と一体に回転する歯車の回転を前記遊星歯車機構に伝達する複数の歯車を有し、前記複数の歯車のうちの１つの歯車が前記第２香箱真に軸支されるパワーリザーブ輪列と、
を備える時計。
【請求項２】
請求項１に記載の時計において、
前記遊星歯車機構は、
前記表示真と、前記表示真と一体に回転する第１太陽歯車とを有する第１太陽車と、
前記第１香箱真と一体に回転する歯車の回転が伝達される第２太陽歯車と、前記第２太陽歯車に一体に回転する第２太陽かなとを有し、前記表示真を回転軸とする第２太陽車と、
前記第２香箱車の回転が伝達され、前記表示真を回転軸とする遊星中間車と、
前記遊星中間車の回転軸に対して偏心した回転軸で前記遊星中間車に回転自在に支持され、前記第２太陽かなに噛み合う遊星歯車と、前記第１太陽歯車に噛み合う遊星かなとを有する遊星車と、を備え、
前記パワーリザーブ輪列は、
前記第１香箱真と一体に回転する歯車の回転を、前記第２太陽歯車に伝達する複数の歯車で構成される巻上げ表示輪列と、
前記第２香箱車の回転を、前記遊星中間車に伝達する複数の歯車で構成される巻戻し表示輪列と、を備え、
前記巻上げ表示輪列は、前記１つの歯車を有する
時計。
【請求項３】
請求項１または請求項２に記載の時計において、
前記第２香箱真は、前記１つの歯車以外の他の部品の軸に兼用されている時計。
【請求項４】
請求項１から請求項３のいずれか一項に記載の時計において、
前記第２香箱は、前記第１香箱および前記遊星歯車機構の間に配置される時計。
【請求項５】
請求項１から請求項４のいずれか一項に記載の時計において、
前記パワーリザーブ輪列において、前記第１香箱または前記第２香箱に前記平面視で重なる歯車は、前記平面視で互いに重ならないように配置されている時計。
【請求項６】
請求項１から請求項５のいずれか一項に記載の時計において、
前記第１香箱真および前記第２香箱真を軸支する地板と、
前記地板に対して回動自在に配置される巻真とを備え、
前記第１香箱および前記第２香箱は、前記地板を前記巻真の軸方向に沿って前記平面視で仮想的に２分割した領域の一方の領域に配置されている時計。
【請求項７】
請求項６に記載の時計において、
前記第２香箱車によって回転される輪列と、
前記輪列によって駆動されて誘起電力を発生し電気エネルギーを出力する発電機と、
前記輪列に取り付けられた指針と、を備え、
前記発電機は、前記地板を前記巻真の軸方向に沿って前記平面視で仮想的に２分割した領域の他方の領域に配置されている時計。